(57)【要約】【課題】限定地域の多層建物の建設工法を提供する。【解決手段】限定地域全体を整地とする限定地域を整理するするステップと、整地上に前記限定側と前記限定側の対向側のそれぞれに沿って少なくとも１層の第一段階建物構造を建設する第一段階建物構造を建設するステップと、両側の第一段階建物構造の上にそれぞれ少なくとも１層の第二建物構造を建設する第二段階建物構造を建設するステップと、両側の第二段階建物構造の間に横架構造を建設し、両側の第二段階建物構造を連結させる横架構造を建設するステップとを含む。【選択図】図８
2014185484.tif 000002
【特許請求の範囲】
【請求項１】
建設用物資器具を出し入れさせることができない少なくとも１つの限定側と、前記限定側と隣接し、建設用物資器具の出し入れのための少なくとも１つの進入側とを有する限定地域の多層建物の建設に用いられる建設工法であって、
前記限定地域全体を整地とする前記限定地域を整理するステップと、
前記建設敷地上に前記限定側と前記限定側の対向側のそれぞれに沿って少なくとも１層の第一段階建物構造を建設する第一段階建物構造を建設するステップと、
それぞれの前記これら第一段階建物構造の上に少なくとも１層の第二建物構造を建設する第二段階建物構造を建設するステップと、
前記これら第二段階建物構造の間に横架構造を建設し、前記これら第二段階建物構造を連結させる横架構造を建設するステップとを含むことを特徴とする建設工法。
【請求項２】
前記横架構造の下の空間に運搬器具を設置する運搬器具を設置するステップと、
前記運搬器具によって物資を運搬し、前記横架構造の下の空間を建設する横架構造の下の空間を建設するステップと、
を含むことを特徴とする、請求項１に記載の建設工法。
【請求項３】
前記運搬器具は前記第二段階建物構造と前記横架構造からぶら下がる懸吊柱との間に設けられることを特徴とする、請求項２に記載の建設工法。
【発明の詳細な説明】
【技術分野】
【０００１】
本発明は、限定地域の多層建物の建設工法に関する。
【背景技術】
【０００２】
いわゆる「プレキャスト部材工法」はプレキャストメーカーにおいて標準化された作業フロー及びモジュール化された鋳型によって、精密なプレキャスト柱、プレキャスト梁、プレキャスト積層板などのプレキャスト部材を速く大量に生産し、工事現場では運搬器具によって正確な運搬管理が行われ、すでに完成されたプレキャスト部材を組み立てて建物を建設することである。建物の建設をより早く行い、プレキャスト部材工法を利用して建設された建物を十分に利用するために、建物の対向両側の最も外側の構造体及び頂上積層板（屋根）の建設を先に完成させ、その間は天候の影響を受けない空間となり、さらにその間の空間中の階層を建設し、同時に室内装飾、水電管パイプ、生産設備の設立等の施行を行い、建設仕事時間を効果的に短縮させ、生産、営業、居住などの用途のための建物を速く提供することができる。
【発明の概要】
【発明が解決しようとする課題】
【０００３】
しかしながら、前述した従来の技術では、建物密度が高い地域、或いは崖、水辺などに近接している限定地域で建設を行う時、建設予定地以外の利用できる土地と空間を取得することが難しく、砂利、鉄筋、コンクリートなどの原料と比較すると、すでに完成されたプレキャスト部材は形態を変えることができず、重量が重いため、信頼力がより高い運搬器具によって吊設する必要があり、このとき、もし建物の屋根が完成しているのであれば、大型接地自己推進吊設器具の使用は制限を受け、このような状況下では、整地の十分な利用と建物の建設ステップを考慮する必要がある。
【０００４】
そこで、本発明者は上記の欠点が改善可能と考え、鋭意検討を重ねた結果、合理的設計で上記の課題を効果的に改善する本発明の提案に到った。
【０００５】
本発明は、このような従来の問題に鑑みてなされたものである。上記課題解決のため、本発明は、限定地域の多層建物の建設工法を提供することを主目的とする。
【課題を解決するための手段】
【０００６】
上述した課題を解決し、目的を達成するために、本発明に係る限定地域の多層建物の建設工法は、建設用物資器具を出し入れさせることができない少なくとも１つの限定側と、前記限定側と隣接し、建設用物資器具の出し入れのための少なくとも１つの進入側とを有する限定地域の多層建物の建設に用いられる建設工法であって、
前記限定地域全体を整地とする前記限定地域を整理するステップと、
前記建設敷地上に前記限定側と前記限定側の対向側のそれぞれに沿って少なくとも１層の第一段階建物構造を建設する第一段階建物構造を建設するステップと、
それぞれの前記これら第一段階建物構造の上に少なくとも１層の第二建物構造を建設する第二段階建物構造を建設するステップと、
前記これら第二段階建物構造の間に横架構造を建設し、前記これら第二段階建物構造を連結させる横架構造を建設するステップとを含むことを特徴とする。
【０００７】
本発明に係る建設工法は、前記横架構造の下の空間に運搬器具を設置する運搬器具を設置するステップと、
前記運搬器具によって物資を運搬し、前記横架構造の下の空間を建設する横架構造の下の空間を建設するステップと、
を含むことを特徴とする。
【０００８】
また、本発明の建設工法において、上述各ステップは循環的に行われることが好ましく、さらに、第二段階建物構造の建設を行うステップと同時に、限定側及び限定側の対向側に沿って第一段階建物構造の建設を行うステップを継続できることを特徴とする。
【０００９】
さらに、本発明の建設工法において、第一段階建物構造及び／或いは第二段階建物構造が複数層建設されるとき、階段状形態として建設可能であることを特徴とする。
【００１０】
本発明の建設工法において、横架構造は水平横向きで第二段階建物構造のフレーム体の両側と連結されることを特徴とする。
【図面の簡単な説明】
【００１１】
【図１】本発明に係る限定地域のステップの概略図である。
【図２】本発明の第一段階建物構造のステップの概略図である。
【図３】本発明の第一段階建物構造のステップの概略図である。
【図４】本発明の第一段階建物構造のステップの概略図である。
【図５】本発明の第二段階建物構造のステップの概略図である。
【図６】本発明の横架構造のステップの概略図である。
【図７】運搬器具を装設するステップの概略図である。
【図８】横架構造以下空間を建築するステップの概略図である。
【図９】横架構造以下空間を建築するステップの概略図である。
【図１０】横架構造以下空間を建築するステップの概略図である。
【図１１】横架構造以下空間を建築するステップの概略図である。
【図１２】本発明の第二段階建物構造のステップを実行する際に、続いて限定側と限定側の対向側に沿って第一段階建物構造のステップを実行し、且つ複数層の第一段階建物構造を段階状に建築する概略図である。
【図１３】本発明の第二段階建物構造のステップを実行する際に、続いて限定側と限定側の対向側に沿って第一段階建物構造のステップを実行し、且つ複数層の第一段階建物構造を段階状に建築する概略図である。
【図１４】本発明の限定地域による複数層建物の建設工法に従って完成する建物概略図である。
【発明を実施するための形態】
【００１２】
以下に図面を参照して本発明を実施するための形態について、詳細に説明する。なお、本発明は、以下に説明する実施形態に限定されるものではない。
【００１３】
まず、本発明の限定地域の多層建物の建設工法の第１実施形態について説明する。なお、本発明の第１実施形態の構成を図１から図１４に示す。
［第１実施形態］
図１に示すように、限定地域１００を整地とし、整地に必要な物資、器具及び発生する廃棄物は進出側１２０から出し入れし、もし限定地域１００が進出側１２０でしか出し入れできない場合、作業の流暢性を考慮し、進出側１２０から離れた側、つまり、図１中の深さ側１３０から、進出側１２０に近い方向に整地作業を行うことがより好ましい。
【００１４】
次は図２に示すように、２つの長辺に沿って互いに近づく方向に向かって、つまり、限定地域１００の中心方向に向かって、所定の位置にプレキャスト柱２１０を建て、図３に示すように、すでに建てたプレキャスト柱２１０の間にプレキャスト梁２２０を建て、プレキャスト梁２２０の間にはプレキャスト積層板２３０が建てられ、第一段階建物構造２００となる。図４に示すように、このような第一段階建物構造２００は建物の設計に基づき、一から複数層建設される。その後は図５に示すように、それぞれ両側の第一段階建物構造２００上に、第二段階建物構造３００から建物の屋根層が建設される。第一段階建物構造２００の積載可能重量を考慮し、第一段階建物構造２００の上の第二段階建物構造３００が採用するプレキャスト柱２１０、プレキャスト梁２２０はより細くて軽い鋼柱３１０、鋼梁３２０を採用することが好ましい。よって、本実施形態においては、第二段階建物構造３００は鉄骨の建物構造でもよい。
【００１５】
図６に示すように、両側の第二段階建物構造３００の間には横架構造４００が建設され、該横架構造４００は水平横向きで両側の第二段階建物構造のフレーム体の両側と結合される。横架構造４００は鋼柱、鋼梁などの鉄骨部材によって構成されてもよい。もし両側の第二段階建物構造３００の間の距離が比較的離れている場合、その間の所定の位置に、整地から一から複数の支持柱４１０を建ててもよく、横架構造４００を支持する。この支持柱４１０はプレキャスト柱または鋼柱であり、その高さは支持を受ける横架構造４００の位置の高さに基づき、整地から横架構造４００の１つを支持する支持柱として設計され、支持する高さは複数段に分割され、複数の短支持柱を製造してもよく、工事現場で組み立てられ、敷地と横架構造４００の間を支持する。
【００１６】
また、図７に示すように、鋼柱３１０の所定位置には固定レール５１０が設けられ、１セットの固定レール５１０の間には固定レール５１０に沿って移動可能な移動レール５２０が設けられ、移動レール５２０上には移動レールに沿って移動する起重機５３０が設けられる。このとき、運搬器具５００の各部材は、大型接地自己推進吊設器具によってすでに建設された横架構造４００の建物の物資出し入れの位置に吊設され、次に、横架構造４００の下の空間を移動する運搬器具、起重器具、例えば、小型スタッカー、ウインチクレーンを利用して、固定レール５１０は所定の設置位置及び高さに吊設され、溶接、ねじなどの方法によって、固定レール５１０は鋼柱３１０に設けられる。この後、上述の小型スタッカー、ウインチクレーンなどの器具を利用して起重機５３０が附される移動レール５２０は固定レール５１０に架設され、運搬器具５００の設置が完成する。もし移動レール５２０の距離が両側の第二段階建物構造３００の間の距離より短い場合、図７に示すように、運搬器具５００は第二段階建物構造３００と支持柱４１０の間に設けられ、或いは、第二段階建物構造３００は移動レール５２０の長さの位置において、横架構造４００から下向きに鉄筋構造によってなる懸吊柱４２０が設けられ、運搬器具５００は懸吊柱４２０と第二段階建物構造３００及び／或いは支持柱４１０の間に設けられる。
【００１７】
運搬器具５００は有線、無線による電気操作制御であり、これは横架構造４００の下の空間において三次元で物資を吊設し、これにより、図８から図１０に示すように、運搬器具５００を利用して、建設された横架構造４００の下の空間に物資を運搬できる。横架構造４００の下の空間が建設完了したとき、図１１に示すように、運搬器具５００を解体し、その他プロセスに使用し、整理された空間で室内装飾、水電管パイプ、生産設備の設立等の施行を行い、建設仕事時間を効果的に短縮させる。
【００１８】
図１２から図１３に示すように、横架構造４００の下の空間を建設すると同時に、限定側１１０及び限定側の対向側に沿って第一段階建物構造２００を建設し、その後、各ステップを循環的に実施する。すでに建設された建物の強度を維持し、第一段階建物構造２００の上に建設される第二段階建物構造３００の作業ステップを考慮し、待ちによって形成される作業時間の浪費を減少させるため、図示するように、建設過程において、複数層の第一段階建物構造２００は階段状形態になるように建設することができる。図示しないが、第二段階建物構造３００が複数層の状況の場合、同様に階段状形態になるように建設することができる。
【００１９】
図１４に示すように、限定地域１００を十分に利用し、限定地域１００において建物の建設を完成させる。廃棄物、器具、余りの材料などが進出側１２０によって限定地域１００から撤収された後、建物は生産、営業、居住などの用途に使用される。
【００２０】
以上、本発明の実施形態について図面を参照して詳述したが、具体的な構成はこの実施形態に限られるものではなく、本発明の要旨を逸脱しない範囲の設計変更等も含まれる。
【符号の説明】
【００２１】
100  限定地域
110  限定側
120  進出側 
130  深さ側
200  第一段階建物構造
210  プレキャスト柱
220  プレキャスト梁
230  プレキャスト積層板
300  第二段階建物構造
310  鋼柱
320  鋼梁
400  横架構造
410  支持柱       
420  懸吊柱
500  運搬器具     
510  固定レ−ル
520  移動レ−ル                     
530  起重機
【図１】
2014185484.tif 000003
【図２】
2014185484.tif 000004
【図３】
2014185484.tif 000005
【図４】
2014185484.tif 000006
【図５】
2014185484.tif 000007
【図６】
2014185484.tif 000008
【図７】
2014185484.tif 000009
【図８】
2014185484.tif 000010
【図９】
2014185484.tif 000011
【図１０】
2014185484.tif 000012
【図１１】
2014185484.tif 000013
【図１２】
2014185484.tif 000014
【図１３】
2014185484.tif 000015
【図１４】
2014185484.tif 000016
【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
建設予定地以外の利用できる土地と空間を取得することが難しく作業に利用できる領域が限られた限定地域での多層建物の建設に用いられる建設工法であって、
前記限定地域は、建設用物資器具を前記限定地域に出し入れすることができる進出側を１つ有しているとともに、前記建設用物資器具を出し入れさせることができず作業が限定されてしまう複数の辺を有しており、これら作業が限定されてしまう辺には、前記進出側と隣接する辺である第１限定側と、前記進出側と隣接していて前記第１限定側と対向する辺である第２限定側と、前記進出側に対向する側である深さ側と、があり、
前記建設工法は、
前記限定地域全体を整地する第１ステップと、
前記第１限定側と前記第２限定側とのそれぞれに沿って前記限定地域上に少なくとも１層の第一段階建物構造を建設する第２ステップと、
それぞれの前記第一段階建物構造の上に少なくとも１層の第二段階建物構造を建設する第３ステップと、
前記第二段階建物構造を連結させるように、前記第二段階建物構造の間に横架構造を建設する第４ステップと、
前記横架構造の下の空間に運搬器具を設置する第５ステップと、
前記運搬器具によって物資を運搬し、前記横架構造の下の空間に建物構造を建設する第６ステップと、を含み、
前記運搬器具は、前記第二段階建物構造と前記横架構造からぶら下がる懸吊柱との間に設けられる
ことを特徴とする建設工法。
【請求項２】
請求項１に記載の建設工法において、
前記第２ステップから第６ステップを繰り返しながら、前記深さ側から前記進出側に建物構造を建設する
ことを特徴とする建設工法。
【請求項３】
請求項１または請求項２に記載の建設工法において、
前記第一段階建物構造および前記第二段階建物構造の前記進出側に近い側が階段状形態である
ことを特徴とする建設工法。